(57)【要約】      （修正有）【課題】所望の量を手軽に作成できると共に、安価な水出しコーヒーメーカーを提供する。【解決手段】全体筒状に形成され、挽かれたコーヒーの粉と水を収納した上方側容器の口部に着脱可能に接続しうる上方側接続口部と、上記接続口部の下方に配設され、上方側容器から落下するコーヒー液をフィルタリングするフィルター部と、上記フィルター部の下方に設けられ、フィルタリングされたコーヒー液を収納する下方側容器に着脱可能に接続する下方側接続口部とを有する。【選択図】図４
0003154415.tif 000002
【実用新案登録請求の範囲】
【請求項１】
全体筒状に形成され、挽かれたコーヒーの粉と水を収納した上方側容器の口部に着脱可能に接続しうる上方側接続口部と、上記接続口部の下方に配設され、上方側容器から落下するコーヒー液をフィルタリングするフィルター部と、上記フィルター部の下方に設けられ、フィルタリングされたコーヒー液を収納する下方側容器に着脱可能に接続する下方側接続口部とを有することを特徴とする水出しコーヒーフィルター装置。
【請求項２】
上記フィルター部は、上方に配設される網状フィルターと、上記網状フィルターの下方に配設される多孔性樹脂フィルターとにより構成されていることを特徴とする請求項１記載の水出しコーヒーフィルター装置。  
【請求項３】
上記上方側容器はペットボトルであることを特徴とする請求項１記載のコーヒーフィルター装置。
【考案の詳細な説明】
【技術分野】
【０００１】
本考案は、水出しコーヒーフィルター装置に関する。
【背景技術】
【０００２】
ドリップ式等のコーヒーメーカーでお湯を用いて抽出されたコーヒーよりも雑実が無く、苦味も控えめですっきりとした美味しさがあることから、従来より、水出しコーヒーが好まれている。
このような水出しコーヒーを作成する場合には、一般に、内部にフィルター部を有するストレーナーに、挽かれたコーヒーの粉をフィルター部内に所定量入れ、ポットに上記ストレーナーをセットし、粉全体が湿るように少量ずつ水を注いでドリップさせ、コーヒーの粉が収納されたフィルター部を水に漬け込んだ状態で約８時間程度放置して作成する。
【０００３】
しかしながら、このような従来の水出しコーヒー作成器具は、所定のコーヒー豆の量と水の量が必要であり、一人分の少量のコーヒーを作成するには不向きである。
一方、所定の高さに組み上げたフレーム部内にサイフォンを配置して水滴をコーヒーの粉上に一定一滴落下させることにより抽出する水出しコーヒー専用のコーヒーメーカーも販売されているが、器具の構成自体が非常に大掛かりであり、使用しにくいと共に販売価格も高い、という問題点があった。
【考案の開示】
【考案が解決しようとする課題】
【０００４】
そこで本願考案は、適宜、所望の量を手軽に作成できると共に、安価に水出しコーヒーを作成できる装置を提供することにある。
【課題を解決するための手段】
【０００５】
上記課題解決のため、請求項１記載の考案にあっては、全体筒状に形成され、挽かれたコーヒーの粉と水を収納した上方側容器の口部に着脱可能に接続しうる上方側接続口部と、上記接続口部の下方に配設され、上方側容器から落下するコーヒー液をフィルタリングするフィルター部と、上記フィルター部の下方に設けられ、フィルタリングされたコーヒー液を収納する下方側容器に着脱可能に接続する下方側接続口部とを有することを特徴とする。
【０００６】
従って、水出しコーヒーを作ろうと思う者は、適宜の口部を有する上方側容器内に、挽いたコーヒーの粉と水を入れて所定時間置いた後、その容器の口部に本考案に係る上方側接続口部を接合させ、下方側接続口部に下方側収納容器を接合させて上下反転させ、下方側容器を下方にすると共に上方側容器を上方に位置させて、上方側容器から本考案に係るコーヒーフィルター装置を介して下方側容器へコーヒー液を流下させる。
【０００７】
この場合、上方側容器から流下するコーヒー液は、上記フィルター部によりフィルタリングされ、その後、下方側容器に流下して収納される。
【０００８】
請求項２記載の考案にあっては、上記フィルター部は、上方に配設される網状フィルターと、上記網状フィルターの下方に配設される多孔性樹脂フィルターとにより構成されていることを特徴とする。
【０００９】
従って、請求項２記載の考案にあっては、上方側容器から流下したコーヒー液に含まれるやや大径の粉は上記網状フィルターによりフィルタリングされると共に、より小径の粉は上記多孔性樹脂フィルターによりフィルタリングされる。
【００１０】
請求項３記載の考案にあっては、上記上方側容器はペットボトルであることを特徴とする。
【考案の効果】
【００１１】
請求項１記載の考案にあっては、使用者は、必要な量のコーヒー液が下方側容器に貯留された場合には、その段階で、下方側接続口部を下方側容器から取り外すことにより、適宜、所望の量の水出しコーヒー液を手軽に作成できる。
また、現在、一般に販売されている高価な水出しコーヒーメーカーを使用することなく、安価に水出しコーヒーを楽しむことができる。
【００１２】
請求項２記載の考案にあっては、上方には網状フィルターが配設されると共に、下方には多孔性樹脂フィルターが配設されていることから、コーヒー粉末を２段階に分けてフィルタリングすることができ、ろ過効率を向上させることができる。
【００１３】
請求項３記載の考案にあっては、他の飲料水を封入して販売されたペットボトルを、そのまま上方側容器として使用することができることから、使用済みのペットボトルを無駄なく利用して手軽に水出しコーヒーを楽しむことができる。
【図面の簡単な説明】
【００１４】
【図１】本考案に係る水出しコーヒーフィルター装置の一実施の形態を示す斜視図である。
【図２】本考案に係る水出しコーヒーフィルター装置の一実施の形態を示す図１の2―2線相当断面図である。
【図３】本考案に係る水出しコーヒーフィルター装置に使用されるフィルターの斜視図である。
【図４】本考案に係る水出しコーヒーフィルター装置及びペットボトルを使用して水出しコーヒーを作成している状態を示す縦断面図である。
【考案を実施するための最良の形態】
【００１５】
以下、添付図面に示す実施の形態に基づき、本考案を詳細に説明する。
図１及び図２に示すように、本実施の形態に係るコーヒーフィルター装置１０にあっは、全体筒状に形成され、挽かれたコーヒーの粉と水を収納した上方側容器の口部に着脱可能に接続しうる上方側接続口部１１と、上記上方側接続口部１１の下方に配設され、上方側容器から落下するコーヒー液をフィルタリングするフィルター部１２と、上記フィルター部１２の下方に設けられ、フィルタリングされたコーヒー液を収納する下方側容器に着脱可能に接続する下方側接続口部１３とを有している。
【００１６】
本実施の形態にあっては、上方側接続口部１１及び下方側接続口部１３は、いずれも、内径が各種飲料水が封入されて販売されているペットボトルの口部の外径と同一に形成され、図４に示すように、ペットボトルを上方側容器１４及び下方側容器１５として使用できるように構成されている。
【００１７】
軸方向中央部にはフィルター部１２がやや大径に形成され、内部にフィルター１６，１７が配設されている。上方には、網状フィルター１６が配設されると共に、上記網状フィルター１６の下方には多孔性樹脂フィルター１７が配設されている。
【００１８】
図３に示すように、上記網状フィルター１６は、金属製であって円盤状に形成され、コーヒー液中の比較的大きな粒径のコーヒー粉末をフィルタリングできるように網径が細密に形成され、フィルター本体部１６ａとフランジ部１６ｂとにより構成されている。上記多孔性樹脂フィルター１７は、下方に膨出する全体略半球状に形成され、フィルター本体部１７ａとフランジ部１７ｂとにより構成されている。
【００１９】
図２に示すように、上記網状フィルター１６及び多孔性樹脂フィルター１７はいずれも、上記フランジ部１６ａ及びフランジ部１７ａにより上記フィルター部１２の内周面部に固定されている。なお、図２中、符合２１は、空気抜き孔であり、また、図４中、符合２２は同様に空気抜き孔である。
空気抜き孔２２は通常は適宜のピン部材の針部が差し込まれて封止されており、ペットボトル１４内にコーヒー粉末及び水を収納してコーヒー液を流下させる場合には、上記ピン部材を抜き取り、空気抜き孔２１，２１と共に外気と流通させて、コーヒーフィルター装置１０内部をコーヒー液を円滑に流下させることができる。
【００２０】
以下、本実施の形態に係るコーヒーフィルター装置１０の使用方法について説明する。
本実施の形態に係るコーヒーフィルター装置１０を使用して、水出しコーヒーを作る場合には、図４に示すように、第一のペットボトル１４に挽いたコーヒーの粉と水を入れて所定時間置いた後、第一のペットボトル１４の口部１８に本実施の形態に係る上方側接続口部１１を接合させ、下方側接続口部１３に第二のペットボトル１５の口部１９を接合させて上下反転させ、上記第二のペットボトル１５を下方にすると共に上記第一のペットボトル１４を上方に位置させる。
その後、上記空気抜き孔２２に装着されていたピン部材を抜き取り、空気抜き孔を外気と連通させることにより、第一のペットボトル１４からコーヒーフィルター装置１０を介して第二のペットボトル１５へコーヒー液を流下させる。
【００２１】
第一のペットボトル１４から流下するコーヒー液は、上記網状フィルター１６及び多孔性樹脂フィルター１７により２度に亘りフィルタリングされる。
即ち、大径のコーヒー粉末は網状フィルター１６により、小径のコーヒー粉末は多孔性樹脂フィルター１７によりフィルタリングされ、その後、第二のペットボトル１５に流下して収納される。
使用者は、第一のペットボトル１４内のコーヒー液が全て流下した場合には、第一のペットボトル１４を上方側接続口部１１から取り外すと共に、第二のペットボトル１５の口部１９からコーヒーフィルター装置１０を取り外し、使用者は、第二のペットボトル１５内に貯留された水出しコーヒーを飲むことができる。
【００２２】
従って、本実施の形態にあっては、各種飲料水が封入されて販売され、各種飲料水を飲んだ後の使用済みのペットボトルを、上方側容器１４及び下方側容器１５として使用できるように構成されていることから、より手軽に、かつ安価で水出しコーヒーを楽しむことがえきる。また、飲む量に応じて、適宜、水出しコーヒーを作成することができる。
【００２３】
本実施の形態にあっては、金属製の網状フィルター多孔性樹脂フィルターが配設されている場合を例に説明したが、フィルターの素材に関しては、上記実施の形態に限定されない。
また、上方側容器及び下方側容器として、ペットボトルを利用する場合を例に説明したが、上記実施の形態に限定されず、コーヒー粉末及びコーヒー液を収納することができるものであればよい。
【産業上の利用可能性】
【００２４】
本考案は、広く、水出しコーヒーフィルターに適用することができる。
【符号の説明】
【００２５】
１０  水出しコーヒーフィルター装置
１１  上方側接続部
１２  フィルター部
１３  下方側接続部
１４  上方側容器
１５  下方側容器
１６  網状フィルター
１６ａ  網状フィルター本体
１６ｂ  フランジ部
１７  多孔性樹脂フィルター
１７ａ  多孔性樹脂フィルター本体
１７ｂ  フランジ部
１８  口部
１９  口部
２０  水出しコーヒー
２１  孔部
２２  空気抜き孔
【図１】
0003154415.tif 000003
【図２】
0003154415.tif 000004
【図３】
0003154415.tif 000005
【図４】
0003154415.tif 000006